(57)【要約】【課題】ファン容量が小さく、除菌イオン発生素子の設置数が少なくても、室内外からの菌類の移動を防ぎ、室内の良好な衛生状態を保つことができる除菌バリアー作成方法及びその装置を提供する。【解決手段】機体２に吸引口３と出入口２１に分断エアー流を出す排出口５とを備え、機体２内に送風機を配設し、送風機と排出口５との間の機体２内に除菌イオン発生器を設けてなり、送風機からのエアー流４に除菌イオン発生器７からの除菌イオンＲを放出すると共に排出口５から排出して、除菌イオン含有分断エアー流８とし、出入口２１の扉２２を開いた際、室内２３及び室外２４に菌類が移動することになるが、除菌イオン含有分断エアー流８を必ず通り、除菌イオンにより菌類を不活化させると共に、床２５に当たり室内２３及び室外２４に分流してこれらを除菌することで、上記課題を達成できる。【選択図】図４
2007181641.tif 000002
【特許請求の範囲】
【請求項１】
或る空間を分ける分断エアー流に除菌イオンを放出して、除菌イオン含有分断エアー流とし、該除菌イオン含有分断エアー流中に存在することになった菌類を死滅させることにより、分けた空間の相互間における菌類の移動を止めるようにしたことを特徴とする除菌バリアー作成方法。
【請求項２】
前記除菌イオン含有分断エアー流を間隔を空けて複数とし、複数の除菌イオン含有分断エアー流により、分けた空間の相互間における菌類の移動を止めるようにした請求項１記載の除菌バリアー作成方法。
【請求項３】
エアー流に除菌イオンを放出し混合した後、或る空間を分ける分断エアー流とすることで、除菌イオン含有分断エアー流を形成し、該除菌イオン含有分断エアー流中に存在することになった菌類を死滅させることにより、分断した空間の相互間における菌類の移動を止めるようにしたことを特徴とする除菌バリアー作成方法。
【請求項４】
機体に吸引口と或る空間を分ける分断エアー流を出す排出口とを備え、これら吸引口と排出口との間の前記機体内に送風機を配設し、該送風機と前記排出口との間の機体に除菌イオン発生器を設けてなり、前記送風機からのエアー流に前記除菌イオン発生器からの除菌イオンを放出すると共に前記排出口から排出して、除菌イオン含有分断エアー流とすることを特徴とする除菌バリアー作成装置。
【請求項５】
前記除菌イオン発生器の下流で前記排出口の上流の機体内に前記除菌イオンと前記エアー流とを混合する混合器を設けた請求項４記載の除菌バリアー作成装置。
【請求項６】
前記送風機の上流の機体内に清浄フィルタを付加して、空気清浄機能を加えた請求項４または５記載の除菌バリアー作成装置。
【発明の詳細な説明】
【技術分野】
【０００１】  本発明は、病院、老人ホーム、幼稚園や家庭、職場のトイレなどの、菌類の繁殖や移動を防ぐのに利用する除菌バリアー作成方法及びその装置に関する。
【背景技術】
【０００２】  現在、室内に人畜無害の除菌イオンを放出して、室内に浮遊あるいは付着している菌やウイルスを不活化することは、知られている。これは、通常、除菌イオン発生素子から放出される除菌イオンを室内に効率良く行き渡らせるために、ファンからのエアー流に除菌イオンを乗せて室内に散布し、室内に浮遊あるいは付着している菌やウイルスに会合させて、不活化するものである。ただ、ファンと除菌イオン発生素子との組み合わせだけであることは少なく、従来のファン付の空気清浄機に除菌イオン発生素子を組み込んだタイプのものが一般的である。【０００３】  この除菌イオン発生素子組み込みの空気清浄機は、機体に吸引口と排出口とを備え、これら吸引口と排出口との間の機体内に清浄フィルタ及び送風機を配設し、更に送風機の下流側に除菌イオン発生素子を取り付けてなる。そして、この空気清浄機の送風機を作動させて吸引口からエアーを吸い込み清浄フィルタを通過させ、その過程で吸引エアー中の塵埃、臭気、その他の種々の物質、場合により菌やウイルスなどを除去して清浄エアーとし、その清浄エアーに除菌イオン発生素子からの除菌イオンを乗せ、排出口から排出して室内に除菌イオンを散布し、上述のとおり室内にある菌やウイルスに除菌イオンを会合させて、不活化するものである。
【特許文献１】特開２００４−３５８３５８号公報
【特許文献２】特開２００２−７５５９０号公報
【発明の開示】
【発明が解決しようとする課題】
【０００４】  上記した特許文献１及び２におけるファンと除菌イオン発生素子との組み合わせたもの及び除菌イオン発生素子組み込み空気清浄機は、いずれも閉鎖された空間である室内などに除菌イオンを散布して、室内に浮遊あるいは付着している菌やウイルスを不活化するため、室内に除菌イオンによる除菌効果を実効あるものとするのに、かなりの時間を必要とする。加えて、室内に人の出入りがあれば、新たに菌やウイルスが侵入する虞があり、除菌効果の保持が難しくなって、更に、この人の出入りに伴い室内の気流が乱れ、除菌イオンを室内に効率良く行き渡らせることが難しくなり、菌やウイルスに会合させる機会を減らして、なお一層除菌効果を出すのに時間を必要とすることにもなる。このような不都合を解消するには、室内の容積に合わせて、ファン容量を大きくし、さらに除菌イオン発生素子の設置数をかなり多いものとしなければならない。【０００５】  しかしながら、現実的な対応として、室内における音やエアー流の風速などから、ファン容量及び除菌イオン発生素子の設置数には限界があるため、上記した不都合を解消することは困難である。そのため、人の出入りにより、室内に新たに菌やウイルスを侵入させないような除菌バリアーを作り、更にその除菌バリアーにより人の出入りによっても室内の気流を乱すことがないようにして、室内の除菌効果を常時保持できるようにするのがベターであるが、今のところそのようなものがないのが実情である。【０００６】  そこで、本発明は、上記事情に鑑みてなされたもので、ファン容量が小さく、除菌イオン発生素子の設置数が少なくても、室内外からの菌やウイルスの移動を防止して、室内の良好な衛生状態を保持することが出来る除菌バリアー作成方法及びその装置を提供することを課題とする。
【課題を解決するための手段】
【０００７】  本発明は、上記課題を達成するために提案されたものであって、下記の構成からなることを特徴とするものである。
すなわち、請求項１記載の発明方法は、或る空間を分断するエアー流に除菌イオンを放出して、除菌イオン含有分断エアー流とし、該除菌イオン含有分断エアー流中に存在することになった菌類を死滅させることにより、分断した空間の相互間における菌の移動を止めるようにしたことを特徴とする。【０００８】  請求項２記載の発明方法は、前記除菌イオン含有分断エアー流を間隔を空けて複数とし、複数の除菌イオン含有分断エアー流により、分断した空間の相互間における菌類の移動を止めるようにしたことを特徴とする。【０００９】  請求項３記載の発明方法は、エアーに除菌イオンを放出し混合した後、或る空間を分断するエアー流として、除菌イオン含有分断エアー流とし、該除菌イオン含有分断エアー流中に存在する菌類を死滅させることにより、分断した空間の相互間における菌の移動を止めるようにしたことを特徴とする【００１０】  請求項４記載の発明装置は、機体に吸引口と或る空間を分断するエアー流を出す排出口とを備え、これら吸引口と排出口との間の前記機体内に送風機を配設し、該送風機と前記排出口との間の機体に除菌イオン発生器を設けてなり、前記送風機からのエアー流に前記除菌イオン発生器からの除菌イオンを放出すると共に前記排出口から排出して、除菌イオン含有分断エアー流とすることを特徴とする。【００１１】  請求項５記載の発明装置は、前記除菌イオン発生器の下流で前記排出口の上流の機体内に前記除菌イオンと前記エアー流とを混合する混合器を設けたことを特徴とする。【００１２】  請求項６記載の発明装置は、前記送風機の上流の機体内に清浄フィルタを付加して、空気清浄機能を付加させたことを特徴とする。
【発明の効果】
【００１３】  本発明によれば、以下のような効果がある。
請求項１記載の発明方法は、エアー流により分断している或る空間の一方から他方に菌類が移動する場合、除菌イオンを含有している分断エアー流を必ず通るから、その際、除菌イオンにより菌類を不活化させて、分断した空間の相互間における菌類の移動を止め、更に、除菌イオン含有分断エアー流は、空間を構成する仕切り壁に当たり左右に分流して、一方及び他方の空間に除菌イオンを散布することになり、これら空間内にある菌類を不活化させる。したがって、ファン容量が小さく、除菌イオン発生素子の設置数が少なくても、室内外からの菌やウイルスの移動を防止して、室内の良好な衛生状態を保持することが出来る効果がある。【００１４】  請求項２記載の発明方法は、上記した除菌イオン含有分断エアー流が複数あるから、空間の一方から他方に菌類が移動する場合、複数の除菌イオン含有分断エアー流とこれらの間の除菌イオン散布ゾーンを必ず通ることになり、より完全な形で分けた空間の相互間における菌類の移動を止め、且つ、これら空間内にある菌類を不活化させる。したがって、上記した効果をより一層確実に出すことができる。【００１５】  請求項３記載の発明方法は、エアーに除菌イオンを放出した後混合してから、或る空間を分断する除菌イオン含有分断エアー流としているから、除菌イオンが均質に分散し菌類と会合する機会が均質となり、より効果的に菌類を死滅させることになり、より完全に近い形で分断した空間の相互間における菌類の移動を止め、且つ、これら空間内にある菌類を不活化させる。したがって、上記した効果をより確実に出すことができる。【００１６】  請求項４記載の発明装置は、送風機を作動させると、吸引口からエアーが入り送風機によりエアー流となり、そのエアー流に除菌イオン発生器からの除菌イオンを放出すると共に排出口から排出して、除菌イオン含有分断エアー流となり、ある空間を分け、その空間の一方から他方に菌類が移動する場合、除菌イオン含有分断エアー流を必ず通るから、その際、除菌イオンにより菌類を不活化させて、分断した空間の相互間における菌類の移動を止め、更に、除菌イオン含有分断エアー流は、空間を構成する仕切り壁に当たり左右に分流して、一方及び他方の空間に除菌イオンを散布することになり、これら空間内にある菌類を不活化させる。したがって、上記した発明方法を効率よく実行することができる効果がある。【００１７】  請求項５記載の発明装置は、除菌イオン発生器から放出された除菌イオンは、送風機からのエアー流と混合器で混合され、エアー流中に均質に分散してから、排出口より出され除菌イオン含有分断エアー流となり、菌類と会合する機会が均質となり、より効果的に菌類を死滅させることになり、より完全に近い形で分断した空間の相互間における菌類の移動を止め、且つ、これら空間内にある菌類を不活化させる。したがって、上記した発明方法を効率よく実行することができる効果がある。【００１８】  請求項６記載の発明装置は、送風機を作動させると、吸引口からエアーが入り、清浄フィルタにより吸引エアー中の粉塵、臭気、その他の種々の物質、菌やウイルスを除去し、送風機によりエアー流となり、そのエアー流に除菌イオン発生器からの除菌イオンを放出する��共に排出口から排出して、除菌イオン含有分断エアー流となり、ある空間を分断し、その空間の一方から他方に菌類が移動する場合、除菌イオン含有分断エアー流を必ず通るから、その際、除菌イオンにより菌類を不活化させて、分断した空間の相互間における菌類の移動を止め、更に、除菌イオン含有分断エアー流は、空間を構成する仕切り壁に当たり左右に分流して、一方及び他方の空間に除菌イオンを散布することになり、これら空間内にある菌類を不活化させる。したがって、上記した発明方法を効率よく実行することができることに加えて、吸引口からの吸引エアーを清浄化する空気清浄機能を付加させる効果がある。
【発明を実施するための最良の形態】
【００１９】  以下に、図面を参照して本発明を実施するための最良の形態を説明する。
【実施例１】
【００２０】  図１は本発明方法を実現する除菌バリアー作成装置を示す正面図、図２は除菌バリアー作成装置の断面図、図３は除菌バリアー作成装置を室内の出入口に設けた状態の斜視図、図４は図３の出入口の扉を開けた状態における除菌バリアー作成装置の作動を示す断面図である。図面において、１は除菌バリアー作成装置を示し、この除菌バリアー作成装置１は、機体２に吸引口３と或る空間を分ける分断エアー流を出す排出口５とを備え、これら吸引口３と排出口５との間の機体２内に送風機６を配設し、この送風機６と排出口５との間の機体２内に除菌イオン発生器７を設けてなり、送風機６からのエアー流４に除菌イオン発生器７からの除菌イオンＲを放出すると共に排出口５から排出して、除菌イオン含有分断エアー流８とするものである。【００２１】  前記機体２は、偏平な箱体であり、正側面２ａの上部に前記吸引口３が設けられ、底面２ｂに前記排出口５が設けられている。機体２内は、仕切り板１０により区切られ、吸引側室１１と除菌イオン供給室１２とに分かれている。これらの吸引側室１１と除菌イオン供給室１２とを跨いで、前記送風機６が配設されている。さらに、前記除菌イオン発生器７は、仕切り板１０の吸引側室１１に取り付けられ、除菌イオンＲの放出部７ａが除菌イオン供給室１２側に臨んでいる。そして、送風機６と除菌イオン発生器７との間の吸引側室１１に混合器１３が取り付けられている。この混合器１３は、除菌イオンＲの機能を損なうことなく、効率よく混合出来るものであれば特に限定がない。この例では二枚の乱流板１４を設けてなるものであり、送風機６からの前記エアー流４に乱流を起こさせ、放出部７ａから除菌イオンＲが放出された際、効率良く除菌イオンＲを混合するものである。なお、この混合器１３の設置は、必須条件ではない。【００２２】  機体２の排出口５は、除菌イオン含有分断エアー流８を形成且つ排出するものであり、除菌イオン含有分断エアー流８は或る空間を分けるものであるから、分けるのに充分な到達距離を除菌イオン含有分断エアー流８に付与しなければならない。したがって、排出口５の内側に整流板１５を平行に配設して、除菌イオン含有分断エアー流８を整流するための助走スペースを与えることで、分けるために必要な到達距離を得るようにしている。【００２３】  前記送風機６は、除菌イオン含有分断エアー流８を得るための必要な風量と風圧とがあれば特に限定がないが、幅広の空間を分断するには貫流式の送風機がベターである。【００２４】  前記除菌イオン発生器７は、除菌イオンＲを発生させ、人体に対して安全性を確保しつつエアー中に浮遊している菌やウイルスを死滅させ得るものであれば、特に限定がない。更に、これに加えて人や物体に付着している菌やウイルスをも死滅させ得る除菌イオン発生器７であれば、なおさらベターである。【００２５】  除菌イオン発生器７としては、例えば、両イオン発生電極の間に誘電体を挟み、一方のイオン発生電極に電圧１．５ＫＶ〜３．０ＫＶ、周波数１５ＫＨｚ〜２．５ＫＨｚの交流を印加し、他方のイオン発生電極をアースした形態のものがある。この形態では、それぞれのイオン発生電極で正のイオンであるＨ＋（Ｈ２Ｏ）ｍ、あるいは負のイオンであるＯ２−（Ｈ２Ｏ）ｎ（ｍ、ｎは整数）の構造を持つものが発生する。これらの正・負のイオンは、それぞれクラスター状をなして除菌イオンＲを構成する。この除菌イオンＲは、エアー中に浮遊している菌やウイルスを取り囲み、これらの菌やウイルスの表面でこれらの正・負のクラスターイオンの反応により、ヒドロキシラジカル・ＯＨまたは過酸化水素Ｈ２Ｏ２を生成し、これらにより菌やウイルスを不活化、すなわち死滅させるのである。【００２６】  また、除菌イオン発生器７は、例えば、水に６．０ＫＶの高電圧をかけると、水は大きなエネルギーを得て表面張力を越えて次々とレイリー分裂（静電霧化）し、２０ｎｍ（ナノメートル）前後の水に包まれた除菌イオンＲである超微細なイオンが発生する形態のものでも良い。この形態のものにより発生した超微細なイオンは、ヒドロキシラジカル・ＯＨを含みしかも水により囲まれているため長持ちし、菌やウイルスを包み込んでヒドロキシラジカル・ＯＨにより菌やウイルスを死滅させるのである。なお、上記のいずれの形態のものによる除菌イオンＲでも、菌やウイルス以外に臭気成分なども分解することが可能である。【００２７】  以上のように構成した除菌バリアー作成装置１は、例えば、図３に示すように、或る空間を分ける位置、例えば、建造物２０の出入口２１の室内２３側上方の壁や天井に設置される。この出入口２１には扉２２が設置され、一義的には扉２２により建造物２０における室内２３と室外２４とに分かれている。しかしながら、除菌バリアー作成装置１が作動状態で扉２２が開かれた時、この装置１の排出口５からの除菌イオン含有分断エアー流８により、引き続き室内２３と室外２４とに分けられる。そして、この除菌イオン含有分断エアー流８が床２５に当たると、図４に示すように、室内２３と室外２４とに分流し、室内２３側の分流８ａは室内２３の除菌に寄与し、室外２４側の分流８ｂは室外２４における室内２３近辺の除菌に寄与することになる。【００２８】  そして、室内２３及び室外２４のいずれの方向から、人や気体を含めた物質が出入りする際、出入口２１を必ず通ることになるから、除菌バリアー作成装置１の排出口５からの除菌イオン含有分断エアー流８を浴びることになって、出入口２１を通る物質に存在している菌やウイルスに除菌イオンＲが会合しこれらを不活化させる。したがって、除菌バリアー作成装置１による除菌イオン含有分断エアー流８は、除菌バリアーを構成することになる。一方、扉２２が閉じている時、排出口５からの除菌イオン含有分断エアー流８は、図３に示すように、扉２２に沿い吹き下ろされて床２５に当たり、すべて室内２３に流れて、室内２３に存在している菌やウイルスを死滅させる。なお、扉２２は、出入口２１を自在に閉じたり、開いたりすることが出来るものであれば、特に限定がなく、自動でも手動でも、開き戸タイプでも引き戸タイプでも、さらに回転タイプでも良く、その形式にとらわれない。
【実施例２】
【００２９】  また、上記した除菌バリアー作成装置１は、例えば、図５に示すように、或る空間を分ける位置、例えば、建造物２０の通路２６の天井２７に間隔を空けて２列設置されても良い。したがって、一方の除菌バリアー作成装置１Ａの排出口５Ａからの除菌イオン含有分断エアー流８Ａと、他方の除菌バリアー作成装置１Ｂの排出口５Ｂからの除菌イオン含有分断エアー流８Ｂと、により囲われた除菌バリアー室２８が形成される。除菌イオン含有分断エアー流８Ａ及び８Ｂは、ともに廊下２９に当たり、除菌バリアー室２８側の分流２８ａ及び２８ｂと、外側の分流２８ｃ及び２８ｄとになる。除菌バリアー室２８側の分流２８ａ及び２８ｂは、除菌バリアー室２８内の除菌に寄与すると共に、除菌バリアー室２８内に除菌イオンＲを浮遊させて、除菌バリアー室２８を通る物質に存在している菌やウイルスに除菌イオンＲが会合し、これらを不活化させる。一方、外側の分流２８ｃ及び２８ｄは、除菌バリアー室２８外の近辺の除菌に寄与することになる。【００３０】  そして、除菌バリアー作成装置１Ａ及び１Ｂのいずれの方向から、人や気体を含めた物質が通路２６を通過する際、除菌バリアー作成装置１Ａ及び１Ｂからの除菌イオン含有分断エアー流８Ａ及び８Ｂを必ず浴びることになり、さらに、除菌バリアー室２８も必ず通ることになる。したがって、この通路２６を通る物質に存在している菌やウイルス、すなわち、菌類は除菌イオン含有分断エアー流８Ａ及び８Ｂ中に含まれる除菌イオンＲ、並びに除菌バリアー室２８中に浮遊する除菌イオンＲに会合し、不活化する。よって、この通路２６を通過する物質は、除菌イオン含有分断エアー流８Ａ及び８Ｂ、並びに除菌バリアー室２８と幾重にも張り巡らされた除菌バリアーにより、存在している菌類が死滅させられ、しかも、これら除菌バリアーは菌類以外は通過自在で且つ見通し良く、都合の良いものである。【００３１】  次に、上記構成になる実施例１及び２における除菌バリアー作成装置１を使用して、除菌バリアーの作成方法を説明する。
まず、実施例１の場合、建造物２０における室内２３の出入口２１の高さ及び幅のサイズに適合した除菌バリアー作成装置１を選定して、それを室内２３側の出入口２１の上方の壁あるいは天井に設置する。次に、除菌バリアー作成装置１の作動を開始すると、送風機６によりエアーを吸引口３から吸い込み、エアー流４を形成し、混合器１３の二枚の乱流板１４により乱流となる。この乱流状態のエアー流４に、除菌イオン発生器７から除菌イオンＲが放出されるから効率よく混ざる。この除菌イオンＲを含有し充分混合した乱流状態のエアー流４は、整流板１５により整流化されて、排出口５から排出されて除菌イオン含有分断エアー流８となる。【００３２】  この除菌イオン含有分断エアー流８は、図３に示すように、室内２３の出入口２１の扉２２が閉じている場合、扉２２に沿い吹き下ろされて床２５に当たり、すべて室内２３に流れ、室内２３に存在している菌やウイルスを死滅させる。図４に示すように、扉２２が開いている場合、除菌イオン含有分断エアー流８は、床２５に当たり室内２３側の分流８ａと室外２４側の分流８ｂとになり、室内２３及びその近辺の室外２４の除菌に寄与し、且つ、この除菌イオン含有分断エアー流８は、扉２２が開いていても室内２３と室外２４とを気流的に分断していることになる。この気流的に分断している除菌イオン含有分断エアー流８を破り、通過しようとする物質があっても、この物質に付帯する菌類は除菌イオンＲにより死滅させられ、除菌イオン含有分断エアー流８が除菌バリアーとなり、事実上通過できない。【００３３】  次に、実施例２の場合、図５に示すように、通路２６の天井２７に間隔を空けて除菌バリアー作成装置１Ａ及び１Ｂが２列設置されている場合は、上記した図４の除菌バリアー作成装置１が２基あるのと同じであり、その上、除菌バリアー作成装置１Ａ及び１Ｂ間に広がる空間が除菌バリアー室２８を構成することになる。したがって、この通路２６は、２基の除菌バリアー作成装置１Ａ及び１Ｂからの除菌イオン含有分断エアー流８Ａ及び８Ｂ、並びに除菌バリアー室２８により、気流的に分断されていることになる。この気流的に分断している除菌イオン含有分断エアー流８Ａ及び８Ｂ並びに除菌バリアー室２８を破り、通過しようとする物質があっても、この物質に付帯する菌類は、これらに存在している除菌イオンＲにより死滅させられ、除菌イオン含有分断エアー流８Ａ及び８Ｂ並びに除菌バリアー室２８が除菌バリアーとなり、事実上通過できない。
【実施例３】
【００３４】  この除菌バリアー作成装置３１は、図６、７に示すように、機体３２に吸引口３３と排出口３４とを備え、これら吸引口３３と排出口３４との間の機体３２内に清浄フィルタ３５及び送風機３６を配設して空気清浄機３０を構成し、この空気清浄機３０の清浄フィルタ３５と吸引口３３との間に上記した除菌イオン発生器７Ａ、並びに清浄フィルタ３５と排出口３４との間の機体３２に除菌イオン発生器７Ｂ及び７Ｃを設けてなる。除菌イオン発生器７Ａは、除菌イオンＲを吸引口３３からの吸引エアーＳに放出し、吸引エアーＳ中に存在する菌類を除去して、機体３２内を除菌状態に保持すると共に、除菌イオン発生器７Ｂ及び７Ｃは、除菌イオンＲを送風機３６からの清浄化エアーに放出し、さらに排出口３４及び後述の吹出口４７から出されて除菌に寄与する。【００３５】  上記の空気清浄機３０は、詳しくは偏平な箱体をなした機体３２の一方の広側面３２ａに前記吸引口３３を位置させると共に座りテーブル板用支持部４０を設け、この座りテーブル板用支持部４０にて座りテーブル４１を支持し、他方の広側面３２ｂの両側にパネル板４２を設けると共に両パネル板４２の間に前記排出口３４を位置させて、さらに、機体２の両狭側面３２ｃ及び上面３２ｄに、パネル板４２と協同して室内４３を吸引口側空間４４と排出口側空間４５とに分ける除菌イオン含有分断エアー流４６を形成する吹出口４７を設け、機体３２内に前記清浄フィルタ３５及び前記送風機３６を前記吸引口３３と排出口３４及び前記吹出口４７との間に位置させて設けてなり、排出口３４からの清浄化エアーの排気量を少なくとも吸引口側空間４４外からの外部巻込エアー量Ｑよりも大に設定し、吸引口側空間４４内を負圧状態にすると共に喫煙空間４４Ａとし、排出口側空間４５を非喫煙空間４５Ａとするものである。【００３６】  前記機体２には、その下面にキャスター５０が設けられ、前記座りテーブル４１にもキャスター５１及びアジャスター５２が設けられ自在に移動出来るようになり、さらに、座りテーブル４１上に灰皿を置き、その回りに椅子（共に不図示）などを配置することで、容易に室内４３の吸引口側空間４４を座りテーブル４１設置の喫煙空間４４Ａにすることができる。なお、図６中、５３は操作パネルであり、５４は人感知センサあるいは煙感知センサなどのセンサである。【００３７】  前記機体２内は、垂直仕切り板６０により吸引清浄処理室６１と空気分配室６２とに分割され、これら両室６１、６２は下部の連通口６３によりつながっている。吸引清浄処理室６１は吸引口３３からの吸引エアーＳと共に紫煙を吸引し清浄化するものであり、空気分配室６２は清浄化エアーを排気口３４と吹出口４７とに分けるものである。そして、吸引清浄処理室６１の広側面３２ａ側には吸引口３３が位置し、更に吸引口３３の中間に前記座りテーブル板用支持部４０が位置し、垂直仕切り板６０側に機体内除菌を行うための前記除菌イオン発生器７Ａが取り付けられている。吸引清浄処理室６１の下部には、前記清浄フィルタ３５及び送風機３６を収容しているユニット６４が内蔵されている。空気分配室６２には、その下部に前記排気口３４が位置し、その上面及び側面の上部から下部にかけて吹出���４７が位置している。【００３８】  上記除菌イオン発生器７Ａ、７Ｂ及び７Ｃは、上記した２種類の除菌イオン発生器７のどちらを選択しても良い。この機体内除菌用の除菌イオン発生器７Ａからの除菌イオンＲは、吸引口３３からの吸引エアーＳに万遍なく放出され、吸引エアーＳ中に存在する菌及びウイルスと隈無く会合させることが必要となる。それには、除菌イオン発生器７の設置場所が重要な意味を持つ。この例では、既述の通り、吸引清浄処理室６１上部で吸引口３３よりもやや上方の垂直仕切り板６０に取り付けられている。いずれにしても、除菌イオン発生器７Ａの設置場所は、吸引口３３周辺あるいはユニット６４よりも上流の吸引清浄処理室６１の任意箇所である。また、除菌イオン発生器７Ａの下流側に除菌イオンＲと吸引エアーＳとを混合する混合器を設け、例えば、ユニット６４よりも上流の吸引清浄処理室６１内に混合器として乱流板を設け、吸引エアーＳに乱流を起こして、吸引エアーＳに除菌イオンＲを混合し易くし、吸引エアーＳ中に除菌イオンＲを万遍なく行き渡るようにして、吸引エアーＳ中に存在する菌やウイルスを隈無く除去するようにしても良い。【００３９】  前記ユニット６４は、仕切り板６５により分割され、上部に配置されている清浄フィルタ３５は、ある一定の性能をクリアーするものであれば特に限定がないが、この例では入口６６の下面に取り付けられ、汚染エアー中の比較的大きな粒子を除去するプレフィルタ６７と、プレフィルタ６７通過後の微粒子を除去する電気集塵機６８と、仕切り板６５の連通口６９の上面に取り付けられ臭気成分を除去する脱臭フィルタ７０と、の３部構成となっている。なお、電気集塵機６８の代わりに、脱臭機能を併せ持つ高性能な静電フィルタを用いてもよい。また、ユニット６４内の下部の送風機６６は、必要な容量及び圧力の条件が満たせば特に限定がない。【００４０】  前記空気分配室６２下の排気口３４は、小円孔の集団にて構成され、清浄フィルタ３５による清浄化エアーの一部を、非喫煙空間４５Ａ側に排気するためのものである。一方、吹出口４７は、機体２の両狭側面３２ｃに設けられた側面吹出口４７ａと、上面３２ｄに設けられた上面吹出口４７ｂとがあり、それぞれスリット状になって、上記した清浄化エアーの残部を吹き出し、除菌イオン含有分断エアー流４６を形成するものである。そして、排気口３４からの清浄化エアーの排気量は、喫煙空間４４Ａ外からの外部巻込エアー量Ｑよりも多く設定する必要がある。加えて、側面吹出口４７ａ、上面吹出口４７ｂからの除菌イオン含有分断エアー流４６の吹き出しは、喫煙空間４４Ａ内の煙草の紫煙が外に出ないような風速及び風量を保持できるように設定する必要がある。【００４１】  したがって、ユニット６４内の清浄フィルタ３５による清浄化エアーは出口７１から出て連通口６３から空気分配室６２に一旦入り、ここから予め定めた排気口３４及び吹出口４７の開口面積比にて、上記の外部巻込エアー量Ｑよりも多く設定した清浄化エアーの一部が排気口３４から出て、喫煙空間４４Ａ内を負圧状態にする。そして、清浄化エアーの残部が吹出口４７から出て除菌イオン含有分断エアー流４６を形成して、負圧状態の吸引口側空間４４と排��口側空間４５とに気流制御的に分けることができる。【００４２】  また、前記除菌イオン発生器７Ｂ及び７Ｃは、前記清浄フィルタ３５と前記排出口３４との間の機体３２内に設けても良い。この例では、除菌イオン発生器７Ｂは、連通口６３の手前にあり、除菌イオン発生器７Ｃは、上面吹出口４７ｂの下流の空気分配室３２側の垂直仕切り板３０に取り付けられている。このため、吸引エアーＳ中に存在する菌及びウイルスを除去することに加えて、吹出口４７からの清浄化エアーにも除菌イオン発生器７Ｂ及び７Ｃからの除菌イオンＲを放出し、清浄化エアーに除菌イオンＲを乗せて機体３２外に放出し、上述と同様の除菌イオン含有分断エアー流４６とすることができる。したがって、この除菌イオン含有分断エアー流４６は、既に説明した除菌バリアーであると共に、負圧状態の吸引口側空間４４側に流れて、吸引口側空間４４内を除菌する。さらに、排出口３４からの清浄化エアーにも除菌イオンＲがあるから排出口側空間４５も除菌する。【００４３】  次に、上記構成になる空気清浄機３０を有した除菌バリアー作成装置３１を使用して、室内４３の一角を喫煙空間４４Ａと非喫煙空間４５Ａとに区分する方法について述べる。図９は室内４３を喫煙空間４４Ａと非喫煙空間４５Ａとに区分する最も簡単な方法を示すものである。この室内４３の一角は、直角に交わる壁７２、７３、７４で囲まれているから、除菌バリアー作成装置３１をそのパネル板４２で仕切るように設置し、長方形の喫煙空間４５Ａを創設する。この際、壁７２、７３、７４側に吸引口３３を向け、壁７２、７３、７４の無い方に排気口３４を向けるように、除菌バリアー作成装置３１を設置する。【００４４】  そして、除菌バリアー作成装置３１の送風機３６を作動させると、吹出口４７からエアーが吹き出て、除菌イオン含有分断エアー流４６を形成し、それを境に室内４３を喫煙空間４４Ａと非喫煙空間４５Ａとに区分する。喫煙空間４４Ａ内の喫煙者から出た煙草の紫煙は、他の喫煙者に影響を与えないで直ちに捕捉されて、エアーと共に吸引口３３へ吸引されて吸引エアーＳとなり、除菌イオン発生器７Ａからの除菌イオンＲが万遍なく放出され、吸引エアーＳ中に存在する菌やウイルスと隈無く会合して、これらの菌やウイルスを死滅させ、その状態で清浄フィルタ３５により清浄化されて清浄化エアーとなり、除菌イオン発生器７Ｂからの除菌イオンＲも添加され連通口６３を通して空気分配室６２に一旦入る。この空気分配室６２から清浄化エアーの一部が排気口３４から出て排出口側空間４５を除菌すると共に、吸引口側空間４４内を負圧状態にする。更に、清浄化エアーの残部が吹出口４７から吹き出て清浄化エアーによる除菌イオン含有分断エアー流４６を形成するが、これは除菌イオン発生器７Ｂ及び７Ｃからの除菌イオンＲを含有して除菌する。したがって、清浄フィルタ３５上には菌やウイルスが生存しておらず、喫煙空間４４Ａ及び非喫煙空間４５Ａも菌やウイルスが減少ないし死滅しており、快適空間となっている。【００４５】  一方、捕捉されなかった紫煙は、喫煙空間４４Ａ内を漂うが、排気口３４からの排出エアー量が、喫煙空間４４Ａ外からの除菌イオン含有分断エアー流４６による外部巻込エアー量Ｑよりも大に設定してあるから、喫煙空間４４Ａ内が負圧状態となって、喫煙空間４４Ａ内を漂う紫煙は非喫煙空間４５Ａに出ることなく、最終的に、上述のように吸引口３３へエアーと共に吸引されて、同様にして、清浄化され清浄化エアーとして、排気口３４から非喫煙空間４５Ａに排出されるか、あるいは再び吹出口４７からの除菌イオン含有分断エアー流４６となる。そして、清浄フィルタ３５の交換時、菌やウイルスが死滅しているから、その防護体制をとる必要がない。【００４６】  以上、本発明の実施例１ないし３を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００４７】  本発明は、室内の良好な衛生状態を保持することが要求され、しかも室内外からの菌やウイルスの移動が高い確率で予測されるような場合に利用可能性が高く、特に室内外を封鎖することが困難である場合にその利用可能性が極めて高くなる。
【図面の簡単な説明】
【００４８】
【図１】  本発明方法を実現する除菌バリアー作成装置を示す正面図である（実施例１）。
【図２】  この除菌バリアー作成装置の断面図である（実施例１）。
【図３】  この除菌バリアー作成装置を室内の出入口に設けた状態の斜視図である（実施例１）。
【図４】  図３の出入口の扉を開けた状態における除菌バリアー作成装置の作動を示す断面図である（実施例１）。
【図５】  この除菌バリアー作成装置を通路に設けた状態の断面図である（実施例２）。
【図６】  本発明方法を実現する他の除菌バリアー作成装置を示す斜視図である（実施例３）。
【図７】  他の除菌バリアー作成装置を示す断面図である（実施例３）。
【図８】  他の除菌バリアー作成装置を室内に設置した状態の平面図である（実施例３）。
【符号の説明】
【００４９】      １、１Ａ、１Ｂ、３１    除菌バリアー作成装置
２、３２                機体
２ａ                    正側面
２ｂ                    底面
３、３３                吸引口
４                      エアー流
５、５Ａ、５Ｂ、３４    排出口
６、３６                送風機
７、７Ａ、７Ｂ、７Ｃ    除菌イオン発生器
７ａ                    放出部
８、８Ａ、８Ｂ、４６    除菌イオン含有分断エアー流
８ａ、８ｂ、２８ａ、２８ｂ、２８ｃ、２８ｄ    分流
１０                    仕切り板
１１                    吸引側室
１２                    除菌イオン供給室
１３                    混合器
１４                    乱流板
１５                    整流板
２０                    建造物
２１                    出入口
２２                    扉
２３、４３              室内
２４                    室外
２５                    床
２６                    通路
２７                    天井
２８                    除菌バリアー室
２９                    廊下
３０                    空気清浄機
３２ａ、３２ｂ          広側面
３２ｃ                  狭側面
３２ｄ                  上面
３５                    清浄フィルター
４０                    座りテーブル板用支持部
４１                    座りテーブル
４２                    パネル板
４４                    吸引口側空間
４４Ａ                  喫煙空間
４５                    排気口側空間
４５Ａ                  非喫煙空間
４７                    吹出口
４７ａ                  側面吹出口
４７ｂ                  上面吹出口
５０、５１              キャスター
５２                    アジャスター
５３                    操作パネル
５４                    センサ
６０                    垂直仕切り板
６１                    吸引清浄処理室
６２                    空気分配室
６３、６９              連通口
６４                    ユニット
６５                    仕切り板
６６                    入口
６７                    プレフィルタ
６８                    電気集塵機
７０                    脱臭フィルタ
７１                    出口
７２、７３、７４        壁
Ｑ                      外部巻込エアー量
Ｒ                      除菌イオン
Ｓ                      吸引エアー
【図１】
2007181641.tif 000003
【図２】
2007181641.tif 000004
【図３】
2007181641.tif 000005
【図４】
2007181641.tif 000006
【図５】
2007181641.tif 000007
【図６】
2007181641.tif 000008
【図７】
2007181641.tif 000009
【図８】
2007181641.tif 000010